(57)【要約】【課題】制御信号ケーブルを他に設置せずに、高周波アナログ信号を伝送する双方向信号ケーブルの低周波帯域を利用して制御信号を伝送することが可能なデータ通信システムおよびデータ通信方法を提供する。【解決手段】データ通信システム２は、高周波帯域および低周波帯域を伝送する双方向信号ケーブル２０と、アナログデータ２１を受信し、双方向信号ケーブル２０の高周波帯域によりアナログデータ２１を伝送するアンテナ２２と、受信回路ブロック２４と、機能回路ブロック２６とを備える。受信回路ブロック２４は、受信モジュール２４０および第１の制御信号処理モジュール２４２を有する。機能回路ブロック２６は、第２の制御信号処理モジュール２６２および機能モジュール２６０を有する。【選択図】図２
2010171916.tif 000002
【特許請求の範囲】
【請求項１】
高周波帯域および低周波帯域を伝送する双方向信号ケーブルと、
アナログデータを受信し、前記双方向信号ケーブルの前記高周波帯域により前記アナログデータを伝送するアンテナと、
受信回路ブロックと、
機能回路ブロックと、を備え、
前記受信回路ブロックは、
前記双方向信号ケーブルにより、前記高周波帯域から前記アナログデータを受信し、前記アナログデータをデジタルデータに変換してホストへ伝送する受信モジュールと、
前記双方向信号ケーブルの前記低周波帯域へ制御信号をロードする第１の制御信号処理モジュールと、を有し、
前記機能回路ブロックは、
前記双方向信号ケーブルの前記低周波帯域にある前記制御信号をキャプチャする第２の制御信号処理モジュールと、
前記制御信号を受信し、前記制御信号を基にデータ通信システムを調整する機能モジュールと、を有することを特徴とするデータ通信システム。
【請求項２】
前記制御信号は、前記ホストにより生成されて前記第１の制御信号処理モジュールへ伝送され、前記機能モジュールは、前記制御信号を受信し、前記制御信号を基に前記アンテナの低ノイズモジュールに対し、電源を調整する電源モジュールであることを特徴とする請求項１に記載のデータ通信システム。
【請求項３】
前記第２の制御信号処理モジュールは、前記双方向信号ケーブルの前記低周波帯域にある制御信号をキャプチャするローパスフィルタを含むことを特徴とする請求項１に記載のデータ通信システム。
【請求項４】
前記受信モジュールと前記双方向信号ケーブルとの間に接続され、前記受信モジュールと前記双方向信号ケーブルとの間の直流部分を遮断する第１の直流遮断回路と、
前記アンテナと前記双方向信号ケーブルとの間に接続され、前記アンテナと前記双方向信号ケーブルとの間の直流部分を遮断する第２の直流遮断回路と、をさらに備えることを特徴とする請求項１に記載のデータ通信システム。
【請求項５】
前記第１の直流遮断回路および前記第２の直流遮断回路のそれぞれは容量素子であり、
前記第１の制御信号処理モジュールおよび前記第２の制御信号処理モジュールのそれぞれはインダクタンス素子であることを特徴とする請求項４に記載のデータ通信システム。
【請求項６】
高周波帯域および低周波帯域を伝送する双方向信号ケーブルと、
アナログデータを受信し、前記双方向信号ケーブルの前記高周波帯域により前記アナログデータを伝送するアンテナと、
機能回路ブロックと、
受信回路ブロックと、を備え、
前記機能回路ブロックは、
制御信号を生成させる機能モジュールと、
前記双方向信号ケーブルの前記低周波数帯域へ前記制御信号をロードする第２の制御信号処理モジュールと、を有し、
前記受信回路ブロックは、
前記双方向信号ケーブルにより、前記高周波帯域から前記アナログデータを受信し、前記アナログデータをデジタルデータへ変換し、ホストへ伝送する受信モジュールと、
前記低周波帯域にある前記制御信号をキャプチャし、前記ホストが前記制御信号を基にデータ転送システムを調整する第１の制御信号処理モジュールと、を有することを特徴とするデータ通信システム。
【請求項７】
前記機能モジュールは、赤外線信号を受信し、前記制御信号を生成させる赤外線受信装置であることを特徴とする請求項６に記載のデータ通信システム。
【請求項８】
前記機能モジュールは、前記制御信号を生成させることが可能なスイッチであることを特徴とする請求項６に記載のデータ通信システム。
【請求項９】
前記第１の制御信号処理モジュールは、前記双方向信号ケーブルの前記低周波帯域にある前記制御信号をキャプチャするローパスフィルタを含むことを特徴とする請求項６に記載のデータ通信システム。
【請求項１０】
前記受信モジュールと前記双方向信号ケーブルとの間に接続され、前記受信モジュールと前記双方向信号ケーブルとの間の直流部分を遮断する第１の直流遮断回路と、
前記アンテナと前記双方向信号ケーブルとの間に接続され、前記アンテナと前記双方向信号ケーブルとの間の直流部分を遮断する第２の直流遮断回路と、をさらに備えることを特徴とする請求項６に記載のデータ通信システム。
【請求項１１】
前記第１の直流遮断回路および前記第２の直流遮断回路のそれぞれは容量素子であり、
前記第１の制御信号処理モジュールおよび前記第２の制御信号処理モジュールのそれぞれはインダクタンス素子であることを特徴とする請求項１０に記載のデータ通信システム。
【請求項１２】
アンテナと、受信回路ブロックと、機能回路ブロックと、前記受信回路ブロックおよび前記機能回路ブロックに接続された双方向信号ケーブルと、を含むデータ通信システムに利用するデータ通信方法であって、
前記アンテナからアナログデータを受信し、前記双方向信号ケーブルの高周波帯域から前記アナログデータを伝送するステップと、
前記双方向信号ケーブルにより、前記高周波帯域から前記アナログデータを受信し、高周波信号をデジタル信号へ変換してホストへ伝送するステップと、
前記受信回路ブロックから前記双方向信号ケーブルの低周波帯域へ制御信号をロードするステップと、
前記機能回路ブロックにより、低周波帯域にある前記制御信号をキャプチャするステップと、
前記制御信号を基に、前記データ通信システムを調整するステップと、を含むことを特徴とするデータ通信方法。
【請求項１３】
前記制御信号は、前記ホストにより生成され、
前記機能回路ブロックは、前記制御信号を受信し、前記制御信号を基に、前記アンテナの低ノイズモジュールに対して電源の調整を行う電源モジュールをさらに有することを特徴とする請求項１２に記載のデータ通信方法。
【請求項１４】
アンテナと、受信回路ブロックと、機能回路ブロックと、前記受信回路ブロックおよび前記機能回路ブロックに接続された双方向信号ケーブルと、を含むデータ通信システムに利用するデータ通信方法であって、
前記アンテナからアナログデータを受信し、前記双方向信号ケーブルの高周波帯域から前記アナログデータを伝送するステップと、
前記双方向信号ケーブルにより、前記高周波帯域から前記アナログデータを受信し、高周波信号をデジタル信号へ変換してホストへ伝送するステップと、
前記機能回路ブロックから前記双方向信号ケーブルの低周波帯域へ制御信号をロードするステップと、
前記受信回路ブロックにより、低周波帯域にある前記制御信号をキャプチャするステップと、
前記制御信号を基に、前記データ通信システムを調整するステップと、を含むことを特徴とするデータ通信方法。
【発明の詳細な説明】
【技術分野】
【０００１】
本発明は、データ通信システムおよびデータ通信方法に関する。
【背景技術】
【０００２】
データ通信システムは、現在広く利用され、特に無線のデータ通信システムでよく利用されている。一般の利用方法としては、衛星テレビ信号の受信などがある。コンピュータシステムでは、無線信号のデータ通信システムのアーキテクチャに用いられ、アンテナから無線信号を受信する受信モジュールが最も重要であった。小型のコンピュータシステム（例えば、ベアボーン、ノート型パソコンなど）に設けられたデータ通信システムは、システムの体積が小さく、そのチップ回路基板の規格も小さかったため、受信モジュール以外に他の機能回路を加える場合、面積が足りなくなることがあった。そのため、受信モジュールが設けられたマザーボード以外にドータボードが必要であった。図１は、従来のデータ通信システム１を示すブロック図である。データ通信システム１は、アンテナ１０、第１のケーブル１２、受信回路ブロック１４および機能回路ブロック１６を含む。受信回路ブロック１４および機能回路ブロック１６は、異なる回路基板上に配置される。受信回路ブロック１４は、アンテナ１０から第１のケーブル１２を介してアナログデータ１１を受信した後、デジタルデータ１３に変換させてホスト１８へ伝送させる。しかし、ホスト１８と機能回路ブロック１６との間で制御信号１５の伝送を行う場合、ホスト１８と機能回路ブロック１６との間にもう１本の第２のケーブル１２’を設けなければならないため、データ通信システム１全体の占有空間が増大し、空間が小さいコンピュータシステムにとって、非常に無駄なコスト増大となった。
【０００３】
そのため、データ通信システムにおいて、空間コストを増大させずに機能モジュールの制御信号を伝送させることが可能なデータ通信システムおよびデータ通信方法が求められていた。
【発明の概要】
【発明が解決しようとする課題】
【０００４】
本発明の目的は、制御信号ケーブルを他に設置せずに、高周波アナログ信号を伝送する双方向信号ケーブルの低周波帯域を利用して制御信号を伝送させることが可能なデータ通信システムおよびデータ通信方法を提供することにある。
【課題を解決するための手段】
【０００５】
（１）  本発明は上記目的を達成するため、高周波帯域および低周波帯域を伝送する双方向信号ケーブルと、アナログデータを受信し、前記双方向信号ケーブルの前記高周波帯域により前記アナログデータを伝送するアンテナと、受信回路ブロックと、機能回路ブロックと、を備え、前記受信回路ブロックは、前記双方向信号ケーブルにより、前記高周波帯域から前記アナログデータを受信し、前記アナログデータをデジタルデータに変換してホストへ伝送する受信モジュールと、前記双方向信号ケーブルの前記低周波帯域へ制御信号をロードする第１の制御信号処理モジュールと、を有し、前記機能回路ブロックは、前記双方向信号ケーブルの前記低周波帯域にある前記制御信号をキャプチャする第２の制御信号処理モジュールと、前記制御信号を受信し、前記制御信号を基にデータ通信システムを調整する機能モジュールと、を有することを特徴とするデータ通信システムを提供する。
【０００６】
（２）  また、本発明は上記目的を達成するため、高周波帯域および低周波帯域を伝送する双方向信号ケーブルと、アナログデータを受信し、前記双方向信号ケーブルの前記高周波帯域により前記アナログデータを伝送するアンテナと、機能回路ブロックと、受信回路ブロックと、を備え、前記機能回路ブロックは、制御信号を生成させる機能モジュールと、前記双方向信号ケーブルの前記低周波数帯域へ前記制御信号をロードする第２の制御信号処理モジュールと、を有し、前記受信回路ブロックは、前記双方向信号ケーブルにより、前記高周波帯域から前記アナログデータを受信し、前記アナログデータをデジタルデータへ変換し、ホストへ伝送する受信モジュールと、前記低周波帯域にある前記制御信号をキャプチャし、前記制御信号を基に前記ホストがデータ転送システムを調整する第１の制御信号処理モジュールと、を有することを特徴とするデータ通信システムを提供する。
【０００７】
（３）  また、本発明は上記目的を達成するため、アンテナと、受信回路ブロックと、機能回路ブロックと、前記受信回路ブロックおよび前記機能回路ブロックに接続された双方向信号ケーブルと、を含むデータ通信システムに利用するデータ通信方法であって、前記アンテナからアナログデータを受信し、前記双方向信号ケーブルの高周波帯域から前記アナログデータを伝送するステップと、前記双方向信号ケーブルにより、前記高周波帯域から前記アナログデータを受信し、高周波信号をデジタル信号へ変換してホストへ伝送するステップと、前記受信回路ブロックから前記双方向信号ケーブルの低周波帯域へ制御信号をロードするステップと、前記機能回路ブロックにより、低周波帯域にある前記制御信号をキャプチャするステップと、前記制御信号を基に、前記データ通信システムを調整するステップと、を含むことを特徴とするデータ通信方法を提供する。
【０００８】
（４）  また、本発明は上記目的を達成するため、アンテナと、受信回路ブロックと、機能回路ブロックと、前記受信回路ブロックおよび前記機能回路ブロックに接続された双方向信号ケーブルと、を含むデータ通信システムに利用するデータ通信方法であって、前記アンテナからアナログデータを受信し、前記双方向信号ケーブルの高周波帯域から前記アナログデータを伝送するステップと、前記双方向信号ケーブルにより、前記高周波帯域から前記アナログデータを受信し、高周波信号をデジタル信号へ変換してホストへ伝送するステップと、前記機能回路ブロックから前記双方向信号ケーブルの低周波帯域へ制御信号をロードするステップと、前記受信回路ブロックにより、低周波帯域にある前記制御信号をキャプチャするステップと、前記制御信号を基に、前記データ通信システムを調整するステップと、を含むことを特徴とするデータ通信方法を提供する。
【発明の効果】
【０００９】
本発明のデータ通信システムおよびデータ通信方法によれば、制御信号ケーブルを他に設置しなくても、高周波アナログ信号を伝送する双方向信号ケーブルの低周波帯域を利用して制御信号を伝送させることができる。
【図面の簡単な説明】
【００１０】
【図１】従来のデータ通信システムを示すブロック図である。
【図２】本発明の第１実施形態によるデータ通信システムを示すブロック図である。
【図３】本発明の第２実施形態によるデータ通信システムを示すブロック図である。
【図４】本発明の第３実施形態によるデータ通信システムを示す流れ図である。
【図５】本発明の第４実施形態によるデータ通信システムを示す流れ図である。
【発明を実施するための形態】
【００１１】
以下、添付図面を参照して本発明の好適な実施形態について詳細に説明する。
【００１２】
（第１実施形態）
図２を参照する。図２は、本発明の第１実施形態によるデータ通信システム２を示すブロック図である。データ通信システム２は、双方向信号ケーブル２０、アンテナ２２、受信回路ブロック２４および機能回路ブロック２６を含む。双方向信号ケーブル２０は、高周波帯域および低周波帯域を伝送させることができる。アンテナ２２は、アナログデータ２１を受信するために用いる。本実施形態のデータ通信システム２は、衛星テレビ信号を受信するシステムである。アナログデータ２１は、衛星テレビの画像データである。アンテナ２２は、双方向信号ケーブル２０の高周波帯域によりアナログデータ２１を伝送させる。本実施形態の受信回路ブロック２４および機能回路ブロック２６は、異なる回路基板（図示せず）上に位置し、１本の双方向信号ケーブル２０のみで接続されている。受信回路ブロック２４は、受信モジュール２４０および第１の制御信号処理モジュール２４２を含む。受信モジュール２４０は、双方向信号ケーブル２０を介して高周波帯域からアナログデータ２１を受信し、アナログデータ２１をデジタルデータ２３へ変換してホスト２８へ伝送する。本実施形態のホスト２８は、制御信号２５を生成させる。ホスト２８と第１の制御信号処理モジュール２４２との間には、信号バッファ２４４がさらに設けられ、ホスト２８は、実質上信号バッファ２４４を介して第１の制御信号処理モジュール２４２へ制御信号２５を伝送する。ここで、本実施形態では制御信号２５を増幅させるために信号バッファ２４４が設けられているが、制御信号２５の強度が十分な場合は信号バッファ２４４を設けなくともよい。第１の制御信号処理モジュール２４２が制御信号２５を受信した後、双方向信号ケーブル２０の低周波帯域へ制御信号２５をロードし、双方向信号ケーブル２０の他方の端部へ伝送させる。本実施形態では、第１の制御信号処理モジュール２４２は、インダクタンス素子またはその他の結合回路から構成され、双方向信号ケーブル２０により伝送される信号の低周波帯域中へ制御信号２５をカップリング（ｃｏｕｐｌｅ）させる。
【００１３】
一方、機能回路ブロック２６は、機能モジュール２６０および第２の制御信号処理モジュール２６２を含む。第２の制御信号処理モジュール２６２は、第１の制御信号処理モジュール２４２がロードした双方向信号ケーブル２０の低周波帯域の制御信号２５をキャプチャする。第２の制御信号処理モジュール２６２は、双方向信号ケーブル２０により伝送された信号中の高周波帯域を除去し、低周波帯域にある制御信号２５をキャプチャするローパスフィルタである。本実施形態の第２の制御信号処理モジュール２６２は、第１の制御信号処理モジュール２４２のようにインダクタンス素子またはその他の結合回路から構成され、双方向信号ケーブル２０により伝送された信号の低周波帯域にある制御信号２５をデカップリング（ｄｅｃｏｕｐｌｅ）する。第２の制御信号処理モジュール２６２は、機能モジュール２６０へ制御信号２５を伝送し、機能モジュール２６０は、受信した制御信号２５を基にデータ通信システム２の調整を行う。本実施形態の機能モジュール２６０は、制御信号２５を受信した後にアンテナ２２の低ノイズモジュール（ｌｏｗ  ｎｏｉｓｅ  ｂｌｏｃｋ）２２０に対して電源２６１の調整を行う電源モジュールである。電源２６１を調整することにより、アンテナ２２の受信角度および受信電力を調整することができる。
【００１４】
本実施形態において、アンテナ２２と双方向信号ケーブル２０との間と、受信モジュール２４０と双方向信号ケーブル２０との間と、に設けられた第１の直流遮断回路２４６および第２の直流遮断回路２６４により、それぞれアンテナ２２と双方向信号ケーブル２０との間と、受信モジュール２４０と双方向信号ケーブル２０との間との直流部分をそれぞれ遮断し、直流部分が干渉されることを防ぐことができる。第１の直流遮断回路２４６および第２の直流遮断回路２６４は、容量素子または直流を遮断することができるその他の回路素子から構成されてもよい。
【００１５】
本実施形態のデータ通信システムは、制御信号ケーブルを他に設けずに、高周波帯域アナログ信号を伝送させる双方向信号ケーブルの低周波帯域を利用し、ホストから機能モジュールへ制御信号を送信して調整する。機能モジュールの構成は、実質上、データ通信システムの必要に応じて変更してもよく、上述の電源モジュールのみに限定されるわけではない。
【００１６】
（第２実施形態）
図３を参照する。図３は、本発明の第２実施形態によるデータ通信システム３を示すブロック図である。データ通信システム３は、双方向信号ケーブル３０、アンテナ３２、受信回路ブロック３４および機能回路ブロック３６を含む。第２実施形態は、第１実施形態の双方向信号ケーブル２０およびアンテナ２２と同様に、アンテナ３２によりアナログデータ３１を受信し、双方向信号ケーブル３０により伝送を行うため、ここでは繰り返してアンテナ３２および双方向信号ケーブル３０について詳述しない。機能回路ブロック３６は、制御信号３６１を生成させるために用いる機能モジュール３６０と、第２の制御信号処理モジュール３６２とを含む。本実施形態の機能モジュール３６０は、リモートコントロール（図示せず）などにより生成された赤外線信号３６３を受信し、制御信号３６１を生成させるために用いる赤外線受信装置である。他の実施形態の機能回路ブロック３６はスイッチでもよく、このスイッチを切替えることにより制御信号３６１を生成させることができる。第２の制御信号処理モジュール３６２は、双方向信号ケーブル３０の低周波帯域へ制御信号３６１をロードさせるために用いる。受信回路ブロック３４は、受信モジュール３４０および第１の制御信号処理モジュール３４２を含む。受信モジュール３４０は、双方向信号ケーブル３０を介して高周波帯域からアナログデータ３１を受信し、アナログデータ３１をデジタルデータ３３へ変換してホスト３８へ伝送させる。第１の制御信号処理モジュール３４２は、低周波帯域にある制御信号３６１をキャプチャし（即ち、ローパスフィルタとして機能し）、ホスト３８が制御信号３６１を基にデータ通信システム３を調整する。第２実施形態のデータ通信システム３が衛星テレビ信号のデータを受信するシステムである場合、制御信号３６１は、ホスト３８のチャネルを変更したり、画面の形式を制御したりすることができる。
【００１７】
第２実施形態のデータ通信システムは、制御信号ケーブルを他に設置せずに、高周波帯域アナログ信号を伝送させる双方向信号ケーブルの低周波帯域を利用し、機能モジュールからホストへ制御信号を送信して調整する。機能モジュールの構成は、実質上、データ通信システムの必要に応じて変更してもよく、上述の赤外線受信装置およびスイッチのみに限定されるわけではない。ここで、第１実施形態および第２実施形態は、併せて実施してもよい。例えば、制御信号を受信回路ブロックから機能回路ブロックへ伝送したり、機能回路ブロックから受信回路ブロックへ伝送したりすることが可能な双方向通信方式のデータ通信システムでもよい。
【００１８】
（第３実施形態）
図４を参照する。図４は、本発明の第３実施形態によるデータ通信方法を示す流れ図である。第３実施形態のデータ通信方法は、第１実施形態のデータ通信システム２を利用して実施することができる。第３実施形態のデータ通信方法は、以下のステップ４０１〜４０５を含む。
【００１９】
ステップ４０１：アンテナからアナログデータを受信し、双方向信号ケーブルの高周波帯域によりアナログデータを伝送する。
ステップ４０２：双方向信号ケーブルを介し、高周波帯域からアナログデータを受信し、高周波信号をデジタル信号へ変換し、ホストへ伝送する。
ステップ４０３：受信回路ブロックから双方向信号ケーブルの低周波帯域へ制御信号をロードする。
ステップ４０４：機能回路ブロックが低周波帯域にある制御信号をキャプチャする。
ステップ４０５：制御信号を基にデータ通信システムを調整する。
【００２０】
（第４実施形態）
図５を参照する。図５は、本発明の第４実施形態によるデータ通信方法を示す流れ図である。第４実施形態のデータ通信方法は、第２実施形態のデータ通信システム３を利用して実施することができる。第４実施形態のデータ通信方法は、以下のステップ５０１〜５０５を含む。
【００２１】
ステップ５０１：アンテナからアナログデータを受信し、双方向信号ケーブルの高周波帯域によりアナログデータを伝送する。  
ステップ５０２：双方向信号ケーブルを介し、高周波帯域からアナログデータを受信し、高周波信号をデジタル信号へ変換し、ホストへ伝送する。
ステップ５０３：機能回路ブロックから双方向信号ケーブルの低周波帯域へ制御信号をロードする。
ステップ５０４：受信回路ブロックが低周波帯域にある制御信号をキャプチャする。
ステップ５０５：制御信号を基にデータ通信システムを調整する。
【００２２】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明による特許請求の範囲は、このような変更や修正を含めて広く解釈されるべきである。
【符号の説明】
【００２３】
１…データ通信システム、２…データ通信システム、３…データ通信システム、１０…アンテナ、１１…アナログデータ、１２…第１のケーブル、１２’…第２のケーブル、１３…デジタルデータ、１４…受信回路ブロック、１５…制御信号、１６…機能回路ブロック、１８…ホスト、２０…双方向信号ケーブル、２１…アナログデータ、２２…アンテナ、２３…デジタルデータ、２４…受信回路ブロック、２５…制御信号、２６…機能回路ブロック、２８…ホスト、３０…双方向信号ケーブル、３１…アナログデータ、３２…アンテナ、３３…デジタルデータ、３４…受信回路ブロック、３６…機能回路ブロック、３８…ホスト、２２０…低ノイズモジュール、２４０…受信モジュール、２４２…第１の制御信号処理モジュール、２４４…信号バッファ、２４６…第１の直流遮断回路、２６０…機能モジュール、２６１…電源、２６２…第２の制御信号処理モジュール、２６４…第２の直流遮断回路、３４０…受信モジュール、３４２…第１の制御信号処理モジュール、３６０…機能モジュール、３６１…制御信号、３６２…第２の制御信号処理モジュール、３６３…赤外線信号
【図１】
2010171916.tif 000003
【図２】
2010171916.tif 000004
【図３】
2010171916.tif 000005
【図４】
2010171916.tif 000006
【図５】
2010171916.tif 000007